(57)【特許請求の範囲】
【請求項１】
まず錠ケース本体４Ａの上部又は下部に設けられた結線収納部２５の電線引込み口２６を介して該結線収納部２５内へと案内された扉２Ａ内の電線１０Ａの先端部を前記結線収納部２５の開口２９から外へと引出し、また前記結線収納部２５内に飛び出し状に存する電気錠１Ａの信号線１２Ａを前記開口２９から外へと引き出す信号線引出し工程Ａと、この信号線引出し工程Ａの後に、錠ケース本体４を扉２Ａの切欠部３Ａに嵌め込む錠ケース本体嵌合工程Ｂと、次に錠ケース本体４Ａに電気錠構成部材を装着し、かつ、錠ケース本体４Ａを扉１Ａに固定的に取付ける電気錠取付け工程Ｃと、次に前記結線収納部２５の開口から引出し状態にある、或いは開口から引出された電線１０Ａの先端部と信号線１２Ａの飛び出し先端部とを結線具１３Ａ、１３Ａを介して結線する結線工程Ｄと、最後に結線工程Ｄの終了後、前記結線部分を錠ケース本体４Ａの結線収納部２５に押し込み、或いは戻し入れ、かつ、フロント補足板３３で結線収納部２５のフロント開口３０を閉じる結線部分収納工程Ｅとから成る扉用電気錠の結線を含む取付け方法。
【請求項２】
請求項１に於いて、結線収納部２５は錠ケース本体４にボックス状に形成され、該結線収納部２５内には、予め電気錠１Ａの信号線１２Ａの結線具１３Ａ用結線端部が飛び出し状に露出していることを特徴とする扉用電気錠の結線を含む取付け方法。
【請求項３】
錠ケース本体４Ａの上部又は下部に設けられた結線収納部２５の電線引込み口２６を介して該結線収納部２５内へと案内された扉２Ａ内の電線１０Ａの先端部を前記結線収納部２５の開口２９から外へと引出し、また前記結線収納部２５内に飛び出し状に存する電気錠１Ａの信号線１２Ａを前記開口２９から外へと引き出す信号線引出し工程Ａ１と、この信号線引出し工程Ａ１の後に、錠ケース本体４を扉２Ａの切欠部３Ａに嵌め込む錠ケース本体嵌合工程Ｂ１と、前記結線収納部２５の開口から引出し状態にある、或いは開口から引出された電線１０Ａの先端部と信号線１２Ａの飛び出し先端部とを結線具１３Ａ、１３Ａを介して結線する結線工程Ｄ１と、この結線工程Ｄ１の終了後、前記結線部分を錠ケース本体４Ａの結線収納部２５に押し込む結線部分収納工程Ｅ１と、錠ケース本体４Ａに電気錠構成部材を装着し、かつ、錠ケース本体４Ａを扉１Ａに固定的に取付けると共に、フロント板７Ａを構成するフロント補足板３３で前記結線収納部２５のフロント開口３０を閉じる電気錠取付け工程Ｃ１とを備える扉用電気錠の結線を含む取付け方法。
【請求項４】
請求項３に於いて、この電気錠取付け工程Ｃ１に於いて、結線部分収納工程Ｅ１が建具工事業者によって実行されることを特徴とする扉用電気錠の結線を含む取付け方法。
【請求項５】
扉２Ｂ内の電線１０Ｂの先端部を錠ケース本体４Ｂと別体に形成された結線収納箱４０の一側壁の電線引込み口２６Ｂに差し込み、かつ、結線収納箱４０の開口２９Ｂから外へと引出し、また錠ケース本体４Ｂの一側壁から飛び出し状に出ている電気錠１Ｂの信号線１２Ｂを、同じく結線収納箱４０の他側壁に形成された信号線引込み口４１に差し込み、かつ、前記開口２９Ｂから外へと引出す結線収納箱４０からの信号線引出し工程Ａ２と、錠ケース本体４Ｂ並びに結線収納箱４０を扉２Ｂの切欠部３Ｂにそれぞれ嵌め込む錠ケース本体並びに結線収納箱嵌合工程Ｂ２と、錠ケース本体４Ｂに電気錠構成部材を装着し、かつ、錠ケース本体４Ｂを扉１Ｂに固定的に取付けると共に、結線収納箱４０を扉１Ｂに固定する電気錠取付け工程Ｃ２と、結線収納部箱４０の開口２９Ｂから引出し状態にある、或いは開口２９Ｂから引出された電線１０Ｂの先端部と信号線１２Ｂの飛び出し先端部とを結線具１３Ｂ、１３Ｂを介して結線する結線工程Ｄ２と、前記結線部分を錠ケース本体４Ｂと別体の結線収納部箱４０に押し込み、或いは戻し入れ、かつ、フロント補足板３３Ｂで結線収納部箱４０の開口２９Ｂを閉じる結線部分収納工程Ｅ２とを備える扉用電気錠の結線を含む取付け方法。
【発明の詳細な説明】
【０００１】
【発明の属する技術分野】
本発明は、扉用電気錠の結線を含む取付け方法に関する。
【０００２】
【従来の技術】
まず、従来の扉用電気錠に於ける結線を含む取付け方法について説明する前に、図１を参照にし、方法の発明の実施に直接用いられる電気錠１について説明する。普通一般に、電気錠を扉に取付ける作業は、建具工事業者の職業領域である。一方、扉側の電気錠と建物の出入り口等に適宜に設置された制御盤とを電線管を介して案内された電線や通電金具を使用して結線する作業は、免許を有する電気工事業者の職業領域である。
【０００３】
そこで、図１で示すように、扉用電気錠１取付けの建具施工は、建具工事業者が、扉２の開口側端部２ａに形成した切欠部３に既に押し込まれている錠ケース本体４に電気錠構成部材としてのレバーハンドル５、キーシリンダー６、図示しないサムターンなどを装着し、かつ、錠ケース本体４を適宜に仮止固定し、しかる後にフロント板７を固着具８を介して取付ける。
【０００４】
これに対し、通電金具を使用して結線する電気的施工は、電気工事業者によって、Ｘ箇所とＹ箇所（Ｘ、Ｙの２箇所）で行われている。すなわち、前記Ｘ箇所の結線は、扉用開口部の縦枠内に電線管を介して案内された制御盤側の電線９と扉２内に電線管を介して案内された電気錠結線用の電線１０の後端部とを結線具１１を介して行われる。一方、前記Ｙ箇所の結線は、錠ケース本体４の上壁の貫通孔４ａを介して該錠ケース本体４の外部に飛び出すように案内された複数本の信号線１２と前記電気錠結線用の電線１０の先端部とを結線具１３を介して行われる。おな、符号１４はデッドボルト、１５はラッチボルト、１６は通電金具である。
【０００５】
次に図２及び図３を参照にし、従来の扉用電気錠に於ける結線を含む取付け方法について簡単に説明する。本明細書で「結線方法」とは、前述したＹ箇所の結線方法を意味する。したがって、従来の扉用電気錠に於ける結線を含む取付け方法は、まず電気工事業者が、錠ケース本体４の上壁の貫通孔４ａを介して該錠ケース本体４の外部に飛び出すように案内された複数本の信号線１２と、錠ケース本体４と関係なく予め扉２の切欠部３の外へと引き出された電気錠結線用の電線１０の先端部とを結線具１３を介し接続するＹ箇所結線工程と、次に電気工事業者がＹ箇所結線工程終了後に、錠ケース本体４を結線具１３と共に前記扉２の切欠部３に押し込む錠ケース本体押し込み工程と、しかる後に、建具工事業者が、既に押し込まれている錠ケース本体４にレバーハンドル５、キーシリンダー６などを装着し、かつ、錠ケース本体４並びにフロント板７を扉２に固定的に取付ける電気錠取付け工程とから成る。つまり、従来の扉用電気錠に於ける結線を含む取付け方法は、建具工事業者が電気錠１を扉２に本格的に取付ける前に、常に電気工事業者がＹ箇所結線工程を行っていた。
【０００６】
しかして、従来の電気錠１を用いた上記Ｙ箇所の建具施工及び電気的施工に於いては、次に列挙するような問題点があった。
（１）電気工事業者と建具工事業者とのトラブルの要因となる。すなわち、従来の電気錠１は、施工面に於いて、まずプロの電気工事業者が電気的施工（結線作業）を必ず行い、次に建具工事業者が電気錠１取付けの建具施工をする必要がある。したがって、電気工事業者の電気的施工が終了しないと、建具工事業者がいつまで経っても、電気錠１の取付け作業ができず、その結果、建具施工が遅延する。それ故に、トラブルの要因と成り得る。
（２）電気工事業者の結線作業が終了し、次に建具工事業者が電気錠１を扉２に装着する場合、図２で示すように錠ケース本体４を押し込むため、電気錠１の信号線１２が扉２内の構造如何によっては、扉２内の部材に挟み込まれ、信号線が損傷する原因となる。
（３）またＹ箇所の結線は、結線後に於いても、信号線１２が錠ケース本体４の後端部に「ぶら下がり状態」なので、錠ケース本体４を扉２の切欠部３に押し込む場合には、例えば片手で信号線１２や結線具１３を傷つけないように注意深く行わなければ成らない。したがって、錠ケース本体４の取付け作業そのものが容易でない。
【０００７】
ところで、施工面では上記のような欠点があるが、これらの欠点は、現在、施工後のメンテナンスの面に於いても問題を提起している。すなわち、電気錠１の取付け専門家である建具工事業者が一度建具施工を行うと、Ｙ箇所の結線は図１で示すように扉２内に完全に隠蔽されてしまう。しかるに、一度電気錠１を扉２に取付けてしまうと、Ｙ箇所の結線の点検が非常に困難である。それは、Ｙ箇所の結線の点検を行うには前述したように扉２から電気錠１を取外さなければ成らないところ、普通一般に電気工事業者は、電気的施工のプロであっても、建具施工のプロではないため、事実上一人でできない。つまり、メンテナンスの向上を図るためには、現場での建具工事業者の力も借りなければ成らない。
【０００８】
そこで、現場から、施工並びにメンテナンスの向上性の観点から上記問題点を解決すべき発明の出現が要望されている。
【０００９】
【発明が解決しようとする課題】
本発明は以上のような従来の要望に鑑み、第１の目的は、電気工事業者と建具工事業者とのトラブルの要因を取り除くことである。第２の目的は、Ｙ箇所の結線を簡単に行うことができると共に、電気錠の信号線に傷を付けないことである。第３の目的は、メンテナンスの面に於いて、電気工事業者が建具工事業者の労力を借りなくても、前述したＹ箇所の結線の点検を容易に行うことができることである。
【００１０】
【課題を解決するための手段】
本発明の扉用電気錠の結線を含む取付け方法は、まず錠ケース本体４Ａの上部又は下部に設けられた結線収納部２５の電線引込み口２６を介して該結線収納部２５内へと案内された扉２Ａ内の電線１０Ａの先端部を前記結線収納部２５の開口２９から外へと引出し、また前記結線収納部２５内に飛び出し状に存する電気錠１Ａの信号線１２Ａを前記開口２９から外へと引き出す信号線引出し工程Ａと、この信号線引出し工程Ａの後に、錠ケース本体４を扉２Ａの切欠部３Ａに嵌め込む錠ケース本体嵌合工程Ｂと、次に錠ケース本体４Ａに電気錠構成部材を装着し、かつ、錠ケース本体４Ａを扉１Ａに固定的に取付ける電気錠取付け工程Ｃと、次に前記結線収納部２５の開口から引出し状態にある、或いは開口から引出された電線１０Ａの先端部と信号線１２Ａの飛び出し先端部とを結線具１３Ａ、１３Ａを介して結線する結線工程Ｄと、最後に結線工程Ｄの終了後、前記結線部分を錠ケース本体４Ａの結線収納部２５に押し込み、或いは戻し入れ、かつ、フロント補足板３３で結線収納部２５のフロント開口３０を閉じる結線部分収納工程Ｅとから成ることを特徴とする。
【００１１】
上記構成に於いては、電気工事業者の施工が建具工事業者よりも先行する場合には、結線工程Ｄと電気錠取付け工程Ｃとの順序が入れ替わっても良い。
【００１２】
また本発明の扉用電気錠の結線を含む取付け方法は、錠ケース本体４Ａの上部又は下部に設けられた結線収納部２５の電線引込み口２６を介して該結線収納部２５内へと案内された扉２Ａ内の電線１０Ａの先端部を前記結線収納部２５の開口２９から外へと引出し、また前記結線収納部２５内に飛び出し状に存する電気錠１Ａの信号線１２Ａを前記開口２９から外へと引き出す信号線引出し工程Ａ１と、この信号線引出し工程Ａ１の後に、錠ケース本体４を扉２Ａの切欠部３Ａに嵌め込む錠ケース本体嵌合工程Ｂ１と、前記結線収納部２５の開口から引出し状態にある、或いは開口から引出された電線１０Ａの先端部と信号線１２Ａの飛び出し先端部とを結線具１３Ａ、１３Ａを介して結線する結線工程Ｄ１と、この結線工程Ｄ１の終了後、前記結線部分を錠ケース本体４Ａの結線収納部２５に押し込む結線部分収納工程Ｅ１と、錠ケース本体４Ａに電気錠構成部材を装着し、かつ、錠ケース本体４Ａを扉１Ａに固定的に取付けると共に、フロント板７Ａを構成するフロント補足板３３で前記結線収納部２５のフロント開口３０を閉じる電気錠取付け工程Ｃ１とを備えることを特徴とする。
【００１３】
【発明の実施の形態】
本発明の実施の形態を、図４乃至図８に示す第１実施例で説明する。なお、この第１実施例の扉用電気錠に於ける結線を含む取付け方法に於いては、図９乃至図１１で示す電気錠１Ａが直接使用されるので、説明の便宜上、まず電気錠１Ａの構成について説明し、次いでこの電気錠１Ａの説明に用いた符号を援用して本方法の発明を詳細に説明する。
【００１４】
図９乃至図１１で示す電気錠１Ａは、従来の実施例で説明したように、扉２Ａの開口側端部２ａに形成した切欠部３Ａに錠ケース本体４Ａを押し込み、次に該錠ケース本体４Ａにレバーハンドル５Ａ、キーシリンダー６Ａ等を装着し、かつ、錠ケース本体４Ａを適宜に固定し、しかる後にフロント板７Ａを第１固着具８Ａを介して取付けられる。また前記錠ケース本体４Ａには、フロント板７Ａと対向する垂直取付け板部２０が耳状に設けられ、この垂直取付け板部２０の上下突起部には、錠ケース本体固定用固着具２１の貫通孔２２がそれぞれ形成されている。この点では、従来の実施例と同様である。
【００１５】
しかして、従来の実施例と主に異なる点は、錠ケース本体４Ａをより縦長状に延設し、Ｙ箇所用のボックス状結線収納部２５を形成したことである。すなわち、レバーハンドル５Ａやキーシリンダー６Ａが装着される錠ケース本体４Ａの上部又は下部（この実施例では上部）に、電気錠１Ａの信号線１２Ａの結線具１３Ａ用結線端部を飛び出し状に露出しているのを収納すると共に、一側面に制御盤側の電線と直接的に接続する扉２Ａ内の電線１０Ａ（電気錠側の電線）の先端部を引き込むことができる電線引込み口２６を形成したことである。
【００１６】
またフロント板７Ａは、錠ケース本体４Ａに複数個の第１固着具８Ａ並びに第１取付け孔２７を介して固定されるフロント板本体２８と、このフロント板本体２８の上部に形成され、かつ、前記結線収納部２５の開口２９と連通するフロント開口３０を塞ぐように該フロント板本体２８に複数個の第２固着具３１並びに第２取付け孔３２を介して固定されるフロント補足板３３とから成ることである。
【００１７】
なお、前記フロント補足板３３用の前記第２取付け孔３２は、フロント開口３０の上下の縁部にそれぞれ段差状に連設するやや薄肉の垂直当接片３４に形成されている。またフロント板本体２８にはデッドボルト１４Ａ用貫通孔３５、ラッチボルト１５Ａ用貫通孔３６が形成されている。さらに、錠ケース本体４Ａの垂直取付け板部２０には、第１固着具８Ａが入り込むフロント板本体取付け用貫通孔３７が形成されている。
【００１８】
次に上記電気錠１Ａを使用する扉用電気錠に於ける結線を含む取付け方法について説明する。図４は全体の工程図である。
【００１９】
Ａは錠ケース本体４Ａの結線収納部２５の開口から扉２Ａ内の電線１０Ａの先端部と電気錠１Ａの信号線１２Ａとをそれぞれ引き出す信号線引出し工程である。
【００２０】
この信号線引出し工程Ａでは、建具工事業者又は電気工事業者のいずれが行っても良いが、この場合信号線引出し工程Ａを実行する者が建具工事業者であれば、次のように行う。すなわち、普通一般に建具工事業者はＹ箇所の結線作業をしないので、例えば図５で示すように、電気錠１Ａの錠ケース本体４Ａを扉２Ａの切欠部３Ａに嵌め込む前に、扉２Ａ内の電線１０Ａの先端部を錠ケース本体４Ａに形成した電線引込み口２６を介して結線収納部２５へと案内すると共に、該結線収納部２５の開口２９から外へと引き出し、一方、錠ケース本体４Ａの結線収納部２５内に飛び出し状に露出している電気錠１Ａの信号線１２Ａを同様に前記開口２９を介して外へと引き出す。一方、電気工事業者がこの信号線引出し工程Ａを実行する場合にも、上記の様に行う。
【００２１】
次にＢは前記信号線引出し工程Ａの後に、錠ケース本体４を扉２Ａの切欠部３Ａに嵌込む錠ケース本体嵌合工程である。この錠ケース本体嵌合工程Ｂは、建具工事業者又は電気工事業者のいずれかによって実行される。
【００２２】
次にＣは電気錠１Ａを扉１Ａに固定的に取付ける電気錠取付け工程である。この電気錠取付け工程では、図６で示すように、まず錠ケース本体４Ａを錠ケース本体固定用固着具２１やその貫通孔２２を介して扉２Ａに固定すると共に、固定後の該錠ケース本体４Ａにレバーハンドル５Ａ、キーシリンダー６Ａ等を装着する。また少くともフロント板７Ａを構成するフロント板本体２８が第１固着具８Ａ，第１取付け孔２７等を介して錠ケース本体４Ａに固着する。
【００２３】
この電気錠取付け工程Ｃは、建具工事業者によって実行されるが、建具工事業者は、施工状況によってはフロント板７Ａを構成するフロント補足板３３を外した状態にしておくべきである。もちろん、引き出した電線１０Ａの先端部と信号線１２Ａの飛び出し先端部を錠ケース本体４Ａの結線収納部２５に押し込み、フロント補足板３３を第２固着具３１を介して仮止しておいても良い。
【００２４】
Ｄは図７で示すように錠ケース本体４Ａの結線収納部２５の開口から引出し状態にある、或いは開口から引出された電線１０Ａの先端部と信号線１２Ａの飛び出し先端部とを結線具１３Ａ、１３Ａを介して結線する結線工程である。この結線工程Ｄは、電気工事業者によって実行される。この場合信号変換が必要な場合には、例えば図示しない２線変換アダプターを結線具１３Ａ、１３Ａの間に介在させる。おな、この結線工程Ｄに於いて、仮に前記第２固着具３１を介して補足板３３がフロント板本体２８に固着されているならば、まず補足板３３を取り外し、次に結線収納部２５内に収納されている電気錠側の電線１０Ａの先端部と電気錠１Ａの飛び出し状信号線１２Ａの先端部をそれぞれ電気錠１Ａの開口２９、３０から適当に取り出して結線作業をする。
【００２５】
Ｅは結線工程Ｄの終了後、Ｙ箇所の結線部分（Ｙ箇所；結線具１３Ａ、１３Ａ、２線変換アダプター、各線の先端部分）を錠ケース本体４の結線収納部２５に押し込み、或いは戻し入れ、かつ、フロント補足板３３で結線収納部２５のフロント開口３０を閉じる結線部分収納工程である。この結線部分収納工程Ｅは、主に電気工事業者によって実行される。電気工事業者は、図８で示すようにフロント板７Ａを構成するフロント補足板３３を、第２固着具３１、第２取付け孔等を介して錠ケース本体４Ａのフロント板本体２８に固着する。
【００２６】
ところで、上記電気錠１Ａを用いた扉用電気錠に於ける結線を含む取付け方法は、建具工事業者が先で、電気工事業者が後の場合に実施されるが、図１２で示すように電気工事業者が先で建具工事業者が後の場合にも略同様に行うことができる。
【００２７】
すなわち、電気工事業者が建具工事業者の電気錠取付け施工前に電気的施工（結線作業）をしたい場合には、電気工事業者は各構成部材（レバーハンドル、キーシリンダー等）を含む電気錠１Ａを扉に取付けることがではないのが普通であるから、各構成部材を除いた錠ケース本体４Ａのみ用いて結線作業を実行する。
【００２８】
したがって、このような場合には、本方法の発明の順序は次のようになる。まず、電気工事業者が信号線引出し工程Ａ１及び錠ケース本体嵌合工程Ｂ１を実行する。信号線引出し工程Ａ１は、前述したように錠ケース本体４の結線収納部２５の開口から扉２Ａ内の電線１０Ａの先端部と電気錠１Ａの信号線１２Ａとをそれぞれ引き出す。また錠ケース本体嵌合工程Ｂ１は、錠ケース本体４Ａを扉２Ａの切欠部３Ａに単に差し込むだけである。なお、錠ケース本体４Ａは、施工現場に適宜に配設されている。
【００２９】
次に電気工事業者が結線工程Ｄ１を行う。この結線工程Ｄ１が終わったならば、望ましくは結線部分を錠ケース本体４の結線収納部２５に押し込み、或いは戻し入れるべきである。このような場合、結線部分収納工程Ｅ１には、第１実施例とは相違し、フロント補足３３を錠ケース本体４Ａのフロント板本体２８に固着する工程は含まれない。電気工事業者は、望ましくは単に結線したＹ箇所を結線収納部２５に入れるだけである。
【００３０】
最後に建具工事業者が電気錠取付け工程Ｃ１を行う。この電気錠取付け工程Ｃ１には、錠ケース本体４Ａにフロント板本体２８を固着するだけではなく、フロント補足板３３を第２固着具３１、第２取付け孔等を介してフロント板本体２８に固着する行為も含まれる。なお、この電気錠取付け工程Ｃ１に於いて、前述した結線部分収納工程Ｅ１を建具工事業者が実行しても良い。
【００３１】
【実施例】
第１実施例に使用した電気錠１Ａは、錠ケース本体４Ａの一端部（上部又は下部）に電線引込み口２６を有するＹ箇所結線用の結線収納部２５が一体的に形成されているが、必ずしも結線収納部２５を錠ケース本体４Ａに一体に設ける必要はなく、錠ケース本体４Ａと結線収納部２５を別個にしても良い。すなわち、図１３及び図１４に示すように、電気錠１Ｂは、錠ケース本体４Ｂと、この錠ケース本体４Ｂに対して別体に形成された結線収納箱４０とから成り、前記結線収納箱４０の上壁４０ａには、扉２Ｂ内の電線１０Ｂの先端部を結線収納箱４０の結線収納部２５Ｂ内に案内するための電線引込み口２６Ｂが形成され、一方、結線収納箱４０の下壁４０ｂには、錠ケース本体４Ｂの一側壁（例えば上壁）から飛び出し状に出ている電気錠１Ｂの信号線１２Ｂの先端部を前記結線収納部２５Ｂ内へと案内するためのやや大きめの信号線引込み口４１が形成されている。
【００３２】
したがって、フロント板７Ｂも、望ましくは錠ケース本体４Ｂの開口を閉じるフロント板本体２８Ｂと、結線収納箱４０の開口２９Ｂを閉じるフロント補足板３３Ｂは、全く別体に形成されている。なお、図１３及び図１４に示す電気錠１Ｂに於いて、第１実施例に使用した電気錠１Ａと同一の部分には、同一の符号を付し、電気錠１Ｂの重複説明を省略する。
【００３３】
しかして、前記電気錠１Ｂを使用する本発明の方法の第３実施例は、図１５に示す通りである。すなわち、Ａ２は、図１６で示すように、まず扉２Ｂ内の電線１０Ｂの先端部を錠ケース本体４Ｂと別体に形成された結線収納箱４０の一側壁の電線引込み口２６Ｂに差し込み、かつ、該結線収納箱４０内へと案内された電線１０Ｂの先端部を結線収納箱４０の開口２９Ｂから外へと引出し、また錠ケース本体４Ｂの一側壁から飛び出し状に出ている電気錠１Ｂの信号線１２Ｂを、同じく結線収納箱４０の他側壁に形成された信号線引込み口４１に差し込み、かつ、該結線収納箱４０内へと案内された信号線１２Ｂの先端部を結線収納箱４０の開口２９Ｂから外へと引出す結線収納箱４０からの信号線引出し工程である。
【００３４】
次にＢ２は、前記信号線引出し工程Ａ１の後に、錠ケース本体４Ｂ並びに結線収納箱４０を扉２Ｂの切欠部３Ｂにそれぞれ嵌込む錠ケース本体並びに結線収納箱嵌合工程である。
【００３５】
次にＣ２は、錠ケース本体４Ｂに電気錠構成部材を装着し、かつ、錠ケース本体４Ａを扉１Ｂに固定的に取付けると共に、結線収納箱４０を扉１Ｂに固定する電気錠取付け工程である。
【００３６】
次にＤ２は、結線収納部箱４０の開口２９Ｂから引出し状態にある、或いは開口２９Ｂから引出された電線１０Ｂの先端部と信号線１２Ｂの飛び出し先端部とを結線具１３Ｂ、１３Ｂを介して結線する結線工程である。
【００３７】
Ｅ２は、結線工程Ｄ２の終了後、Ｙ箇所の結線部分を錠ケース本体４Ｂと別体の結線収納部箱４０に押し込み、或いは戻し入れ、かつ、フロント補足板３３Ｂで結線収納部箱４０の２９Ｂを閉じる結線部分収納工程である。なお、この結線部分収納工程Ｅ２に於いて、フロント板７Ｂが第１実施例のフロント板７Ａと同一に構成されているならば、第１実施例のようにフロント補足板３３Ｂでフロント板本体のフロント開口を閉じる。またこの電気錠１Ｂを使用した場合に於いても、電気工事業者が建具工事業者よりも先に結線作業を実施する場合には、本発明の第２実施例と同様に電気錠取付け工程Ｃ２と結線工程Ｄ２の順序が入れ替わる。
【００３８】
【発明の効果】
以上の説明から明らかなように、本発明にあっては次に列挙するような効果がある。
（１）電気工事業者と建具工事業者との施工順番のトラブルの要因を取り除くことができる。
（２）電気的施工（結線作業）を容易に行うことができると共に、電気錠の信号線に傷を付けない。
（３）メンテナンスの面に於いて、電気工事業者が建具工事業者の労力を借りなくても、Ｙ箇所の結線の点検・修理を容易に行うことができる。
【図面の簡単な説明】
図１乃至図３は従来の一例を示す各概略説明図。図４乃至図８は本発明の第１実施例を示す各説明図。図９乃至図１１は第１実施例に使用される電気錠の各説明図。図１２は本発明の第２実施例を示す工程図。図１３乃至図１６は本発明の第３実施例を示す各説明図。
【図１】電気錠の実施形態を示す概略説明図。
【図２】電気錠の施工状態（結線工程）を示す説明図。
【図３】電気錠の施工状態（嵌合工程）を示す説明図。
【図４】第１実施例の全体の工程図。
【図５】第１実施例のＡ工程の説明図。
【図６】第１実施例のＣ工程の説明図。
【図７】第１実施例のＤ工程の説明図。
【図８】第１実施例のＥ工程の説明図。
【図９】第１実施例に使用される電気錠の概略説明図。
【図１０】図９の於ける要部の分解斜視図。
【図１１】第１実施例による電気錠の使用の一例を示す概略説明図。
【図１２】第２実施例の全体の工程図。
【図１３】第３実施例に使用される電気錠の要部の分解斜視図。
【図１４】第３実施例による電気錠の使用の一例を示す概略説明図。
【図１５】第３実施例の全体の工程図。
【図１６】第３実施例のＡ工程の説明図。
【符号の説明】
１Ａ、１Ｂ…電気錠、２Ａ、２Ｂ…扉、３Ａ、３Ｂ…切欠部、４Ａ、４Ｂ…錠ケース本体、７Ａ、７Ｂ…フロント板、８Ａ…第１固着具、Ｙ箇所…電線１０Ａ  （１０Ｂ）と電気錠の信号線１２Ａ（１２Ｂ）との結合部分、１０Ａ、１０Ｂ…扉内の電気錠側の電線、１３Ａ、１３Ｂ…結線具、２５、２５Ｂ…結線収納部、２６、２６Ｂ…電線引込み口、２７…第１取付け孔、２８、２８Ｂ…フロント板本体、２０…垂直取付け部、２９…結線収納部の開口、２９Ｂ…結線収納箱の開口、３０…フロント開口、３１…第２固着具、３２…第２取付け孔、３３…フロント補足板、４０…結線収納箱、４１…信号線引込み口。Ａ、Ａ１、Ａ２…信号線引出し工程、Ｂ、Ｂ１、Ｂ２…錠ケース本体嵌合工程、Ｃ、Ｃ１、Ｃ２…電気錠取付け工程、Ｄ、Ｄ１、Ｄ２…結線工程、Ｅ、Ｅ１、Ｅ２…結線部分収納工程。
【図１】
0004070043.tif 000002
【図２】
0004070043.tif 000003
【図３】
0004070043.tif 000004
【図４】
0004070043.tif 000005
【図５】
0004070043.tif 000006
【図６】
0004070043.tif 000007
【図７】
0004070043.tif 000008
【図８】
0004070043.tif 000009
【図９】
0004070043.tif 000010
【図１０】
0004070043.tif 000011
【図１１】
0004070043.tif 000012
【図１２】
0004070043.tif 000013
【図１３】
0004070043.tif 000014
【図１４】
0004070043.tif 000015
【図１５】
0004070043.tif 000016
【図１６】
0004070043.tif 000017